(57)【要約】【課題】比較的小規模な、市町村単位で活用でき、効果的にアクセス数を高め、ビジネスチャンスを飛躍的に高めることを可能とするビジネスモールを実現すること。【解決手段】ビジネスモール機能に加えて公的機関との双方向にリンクされた生活情報が融合されたポータルサイト機能が設けられており、ホームページ画面に新着情報表示部と、ビジネス情報リスト一覧表示部と、生活情報分野別情報リスト一覧表示部と、特集情報表示部と、企業情報検索部、映像ライブラリ部が設けられ、生活情報分野別情報リスト一覧表示部からの項目の選択により、該表示部の下層部となる各項目の詳細表示画面が表示され、該詳細表示画面は、生活情報関連施設問合せ先リスト表示部と、前記の新着情報表示部とリンクされた生活関連情報表示部とから構成されている。【選択図】  図１
2008210065.tif 000002
【特許請求の範囲】
【請求項１】
ビジネスに関する情報を提供するためのポータルサイトであるビジネスモールにおいて、ビジネス情報とともに生活情報を提供することができることを特徴とするビジネスモールシステム。
【請求項２】
前記のビジネスモールにおいて、公的機関との双方向のリンクが設けられていることを特徴とする請求項１に記載のビジネスモールシステム。
【請求項３】
前記のビジネスモールにおいて、医療機関との双方向のリンクが設けられていることを特徴とする請求項１又は請求項２に記載のビジネスモールシステム。
【請求項４】
前記のビジネスモールにおいて、公的機関が地方自治体であることを特徴とする請求項１から請求項３までのいずれかの項に記載のビジネスモールシステム。
【請求項５】
前記のビジネスモールにおいて、公的機関が学校などの教育機関であることを特徴とする請求項１から請求項４までのいずれかの項に記載のビジネスモールシステム。
【請求項６】
前記のビジネスモールにおいて、公的機関が地方警察機関であることを特徴とする請求項１から請求項５までのいずれかの項に記載のビジネスモールシステム。
【請求項７】
前記のビジネスモールにおいて、公的機関が自治会等であることを特徴とする請求項１から請求項６までのいずれかの項に記載のビジネスモールシステム。
【請求項８】
前記のビジネスモールのフロントページにおいて、新着情報表示部と、ビジネス情報リスト一覧表示部と、生活情報分野別情報リスト一覧表示部と、特集情報表示部と、企業情報検索部、映像ライブラリ部とから構成されていることを特徴とする請求項１から請求項７までのいずれかの項に記載のビジネスモールシステム。
【請求項９】
前記の新着情報表示部は、ビジネス情報及び生活情報において、アップロードされた情報のタイトルがアップロードされた順番に複数行表示されることを特徴とする請求項８に記載のビジネスモールシステム。
【請求項１０】
前記の生活情報分野別情報リスト一覧表示部は、生活情報を分野別のリスト項目として大分類から小分類への複数の階層構造に表示されたリスト一覧表示であることを特徴とする請求項８に記載のビジネスモールシステム。
【請求項１１】
前記の生活情報は、生活情報分野別情報リスト一覧表示部からの項目の選択により、該表示部の下層部となる各項目の詳細表示画面が表示され、該詳細表示画面は、生活情報関連施設問合せ先リスト表示部と、前記の新着情報表示部とリンクされるアップロード情報からなる生活関連情報表示部とから構成されていることを特徴とする請求項１から請求項１０までのいずれかの項に記載のビジネスモールシステム。
【請求項１２】
前記の生活情報がプロ野球情報であることを特徴とする請求項１から請求項１１までのいずれかの項に記載のビジネスモールシステム。
【請求項１３】
前記のプロ野球情報は、ライブ映像情報を含むことを特徴とする請求項１２に記載のビジネスモールシステム。
【請求項１４】
前記の生活情報が暮らし情報であることを特徴とする請求項１から請求項１１までのいずれかの項に記載のビジネスモールシステム。
【請求項１５】
前記の暮らし情報は、自治会・青年会情報であることを特徴とする請求項１４に記載のビジネスモールシステム。
【請求項１６】
前記の暮らし情報は、地方警察機関からの警察情報であることを特徴とする請求項１４に記載のビジネスモールシステム。
【請求項１７】
前記の暮らし情報は、地方自治体からのお知らせ情報であることを特徴とする請求項１４に記載のビジネスモールシステム。
【請求項１８】
前記の暮らし情報は、同窓会・同期会情報であることを特徴とする請求項１４に記載のビジネスモールシステム。
【請求項１９】
前記の暮らし情報は、無料相談情報であることを特徴とする請求項１４に記載のビジネスモールシステム。
【請求項２０】
前記の暮らし情報は、有料相談情報であることを特徴とする請求項１４に記載のビジネスモールシステム。
【請求項２１】
前記の暮らし情報は、健康関連情報であることを特徴とする請求項１４に記載のビジネスモールシステム。
【請求項２２】
前記の暮らし情報は、求人情報であることを特徴とする請求項１４に記載のビジネスモールシステム。
【請求項２３】
前記の暮らし情報は、くらしに役立つ情報であることを特徴とする請求項１４に記載のビジネスモールシステム。
【請求項２４】
前記の生活情報が住まい情報であることを特徴とする請求項１から請求項１１までのいずれかの項に記載のビジネスモールシステム。
【請求項２５】
前記の住まい情報は、不動産情報であることを特徴とする請求項２４に記載のビジネスモールシステム。
【請求項２６】
前記の住まい情報は、引越情報であることを特徴とする請求項２４に記載のビジネスモールシステム。
【請求項２７】
前記の住まい情報は、修理・リフォーム情報であることを特徴とする請求項２４に記載のビジネスモールシステム。
【請求項２８】
前記の住まい情報は、清掃情報であることを特徴とする請求項２４に記載のビジネスモールシステム。
【請求項２９】
前記の住まい情報は、造園情報であることを特徴とする請求項２４に記載のビジネスモールシステム。
【請求項３０】
前記の生活情報が教育情報であることを特徴とする請求項１から請求項１１までのいずれかの項に記載のビジネスモールシステム。
【請求項３１】
前記の教育情報は、学校情報であることを特徴とする請求項３０に記載のビジネスモールシステム。
【請求項３２】
前記の教育情報は、子供のおけいこ情報であることを特徴とする請求項３０に記載のビジネスモールシステム。
【請求項３３】
前記の教育情報は、学童クラブ情報であることを特徴とする請求項３０に記載のビジネスモールシステム。
【請求項３４】
前記の教育情報は、児童センター情報であることを特徴とする請求項３０に記載のビジネスモールシステム。
【請求項３５】
前記の教育情報は、ＰＴＡ活動情報であることを特徴とする請求項３０に記載のビジネスモールシステム。
【請求項３６】
前記の教育情報は、学習塾情報であることを特徴とする請求項３０に記載のビジネスモールシステム。
【請求項３７】
前記の教育情報は、子供のスポーツ情報であることを特徴とする請求項３０に記載のビジネスモールシステム。
【請求項３８】
前記の教育情報は、児童向け塾情報であることを特徴とする請求項３０に記載のビジネスモールシステム。
【請求項３９】
前記の教育情報は、子供文化連盟情報であることを特徴とする請求項３０に記載のビジネスモールシステム。
【請求項４０】
前記の生活情報が育児情報であることを特徴とする請求項１から請求項１１までのいずれかの項に記載のビジネスモールシステム。
【請求項４１】
前記の育児情報は、赤ちゃんの健康情報であることを特徴とする請求項４０に記載のビジネスモールシステム。
【請求項４２】
前記の育児情報は、幼稚園情報であることを特徴とする請求項４０に記載のビジネスモールシステム。
【請求項４３】
前記の育児情報は、子育て・相談情報であることを特徴とする請求項４０に記載のビジネスモールシステム。
【請求項４４】
前記の育児情報は、認可保育園情報であることを特徴とする請求項４０に記載のビジネスモールシステム。
【請求項４５】
前記の育児情報は、認可外保育園情報であることを特徴とする請求項４０に記載のビジネスモールシステム。
【請求項４６】
前記の育児情報は、公園情報であることを特徴とする請求項４０に記載のビジネスモールシステム。
【請求項４７】
前記の生活情報が医療情報であることを特徴とする請求項１から請求項１１までのいずれかの項に記載のビジネスモールシステム。
【請求項４８】
前記の医療情報は、病院情報であることを特徴とする請求項４７に記載のビジネスモールシステム。
【請求項４９】
前記の医療情報は、健康診断情報であることを特徴とする請求項４７に記載のビジネスモールシステム。
【請求項５０】
前記の医療情報は、歯科情報であることを特徴とする請求項４７に記載のビジネスモールシステム。
【請求項５１】
前記の医療情報は、救急病院情報であることを特徴とする請求項４７に記載のビジネスモールシステム。
【請求項５２】
前記の生活情報が介護・福祉情報であることを特徴とする請求項１から請求項１１までのいずれかの項に記載のビジネスモールシステム。
【請求項５３】
前記の介護・福祉情報は、福祉・介護施設関連情報であることを特徴とする請求項５２に記載のビジネスモールシステム。
【請求項５４】
前記の介護・福祉情報は、心の悩みに関する情報であることを特徴とする請求項５２に記載のビジネスモールシステム。
【請求項５５】
前記の介護・福祉情報は、老人福祉関連情報であることを特徴とする請求項５２に記載のビジネスモールシステム。
【請求項５６】
前記の介護・福祉情報は、介護予防関連情報であることを特徴とする請求項５２に記載のビジネスモールシステム。
【請求項５７】
前記の生活情報がボランティア情報であることを特徴とする請求項１から請求項１１までのいずれかの項に記載のビジネスモールシステム。
【請求項５８】
前記の生活情報が趣味関連情報であることを特徴とする請求項１から請求項１１までのいずれかの項に記載のビジネスモールシステム。
【請求項５９】
前記の趣味関連情報は、大人のお稽古・生涯学習情報であることを特徴とする請求項５８に記載のビジネスモールシステム。
【請求項６０】
前記の趣味関連情報は、文化・芸術情報であることを特徴とする請求項５８に記載のビジネスモールシステム。
【請求項６１】
前記の文化・芸術情報は、劇場情報であることを特徴とする請求項６０に記載のビジネスモールシステム。
【請求項６２】
前記の文化・芸術情報は、博物館情報であることを特徴とする請求項６０に記載のビジネスモールシステム。
【請求項６３】
前記の文化・芸術情報は、美術館情報であることを特徴とする請求項６０に記載のビジネスモールシステム。
【請求項６４】
前記の文化・芸術情報は、市民会館情報であることを特徴とする請求項６０に記載のビジネスモールシステム。
【請求項６５】
前記の文化・芸術情報は、公民館情報であることを特徴とする請求項６０に記載のビジネスモールシステム。
【請求項６６】
前記の趣味関連情報は、スポーツ情報であることを特徴とする請求項５８に記載のビジネスモールシステム。
【請求項６７】
前記の趣味関連情報は、ガーデニング情報であることを特徴とする請求項５８に記載のビジネスモールシステム。
【請求項６８】
前記の趣味関連情報は、ペット情報であることを特徴とする請求項５８に記載のビジネスモールシステム。
【請求項６９】
前記の生活情報が娯楽情報であることを特徴とする請求項１から請求項１１までのいずれかの項に記載のビジネスモールシステム。
【請求項７０】
前記の娯楽情報は、祭事・イベント情報であることを特徴とする請求項６９に記載のビジネスモールシステム。
【請求項７１】
前記の娯楽情報は、映画情報であることを特徴とする請求項６９に記載のビジネスモールシステム。
【請求項７２】
前記の生活情報がショッピング情報であることを特徴とする請求項１から請求項１１までのいずれかの項に記載のビジネスモールシステム。
【請求項７３】
前記のショッピング情報は、スーパー・ホームセンター情報であることを特徴とする請求項７２に記載のビジネスモールシステム。
【請求項７４】
前記のショッピング情報は、書籍紹介情報であることを特徴とする請求項７２に記載のビジネスモールシステム。
【請求項７５】
前記のショッピング情報は、お買得情報であることを特徴とする請求項７２に記載のビジネスモールシステム。
【請求項７６】
前記のショッピング情報は、中古車情報であることを特徴とする請求項７２に記載のビジネスモールシステム。
【請求項７７】
前記のショッピング情報は、車検情報であることを特徴とする請求項７２に記載のビジネスモールシステム。
【請求項７８】
前記のショッピング情報は、レンタル情報であることを特徴とする請求項７２に記載のビジネスモールシステム。
【請求項７９】
前記の生活情報が交通情報であることを特徴とする請求項１から請求項１１までのいずれかの項に記載のビジネスモールシステム。
【請求項８０】
前記の交通情報は、バス情報であることを特徴とする請求項７９に記載のビジネスモールシステム。
【請求項８１】
前記の交通情報は、レンタカー情報であることを特徴とする請求項７９に記載のビジネスモールシステム。
【請求項８２】
前記の交通情報は、飛行機情報であることを特徴とする請求項７９に記載のビジネスモールシステム。
【請求項８３】
前記の交通情報は、船舶情報であることを特徴とする請求項７９に記載のビジネスモールシステム。
【請求項８４】
前記の交通情報は、タクシー情報であることを特徴とする請求項７９に記載のビジネスモールシステム。
【請求項８５】
前記の交通情報は、モノレール情報であることを特徴とする請求項７９に記載のビジネスモールシステム。
【請求項８６】
前記の生活情報がレジャー情報であることを特徴とする請求項１から請求項１１までのいずれかの項に記載のビジネスモールシステム。
【請求項８７】
前記のレジャー情報は、旅行情報であることを特徴とする請求項８６に記載のビジネスモールシステム。
【請求項８８】
前記の生活情報がエッセイ情報であることを特徴とする請求項１から請求項１１までのいずれかの項に記載のビジネスモールシステム。
【請求項８９】
前記の生活情報がグルメ情報であることを特徴とする請求項１から請求項１１までのいずれかの項に記載のビジネスモールシステム。
【請求項９０】
前記の生活情報が各界著名人のインタビュー情報であることを特徴とする請求項１から請求項１１までのいずれかの項に記載のビジネスモールシステム。
【請求項９１】
前記の生活情報が歴史・文化・芸能に関する映像情報であることを特徴とする請求項１から請求項１１までのいずれかの項に記載のビジネスモールシステム。
【請求項９２】
前記の生活情報が地域紹介映像情報であることを特徴とする請求項１から請求項１１までのいずれかの項に記載のビジネスモールシステム。
【請求項９３】
前記の生活情報が食べ歩き（飲食店紹介）情報であることを特徴とする請求項１から請求項１１までのいずれかの項に記載のビジネスモールシステム。
【請求項９４】
前記の生活情報が犯罪統計情報であることを特徴とする請求項１から請求項１１までのいずれかの項に記載のビジネスモールシステム。
【請求項９５】
前記の生活情報の提供手段として、不動産検索手段が設けられていることを特徴とする請求項１から請求項１１までのいずれかの項に記載のビジネスモールシステム。
【請求項９６】
前記の生活情報の提供手段として、リサイクルオークション手段が設けられていることを特徴とする請求項１から請求項１１までのいずれかの項に記載のビジネスモールシステム。
【請求項９７】
前記の生活情報の提供手段として、商品販売手段が設けられていることを特徴とする請求項１から請求項１１までのいずれかの項に記載のビジネスモールシステム。
【請求項９８】
前記の生活情報の提供手段として、３Ｄ映像による史跡バーチャル体験手段が設けられていることを特徴とする請求項１から請求項１１までのいずれかの項に記載のビジネスモールシステム。
【発明の詳細な説明】
【技術分野】
【０００１】
本発明は、インターネットを用いたビジネスモールに関する。
【背景技術】
【０００２】
現在、インターネットビジネスは、IT(情報革命)の中核をなしグローバルに展開されており、このネットビジネスの中心は、ホームページにビジネスモールの場を提供し、企業が欲しい商品を、検索する事をベースに成り立っている。
【０００３】
現状のビジネスモールでは、希望のメーカーのホームページを開いて、そこに掲載されている情報から必要な情報を入手したり、特定メーカーの商品を購入する事が出来るような仕組みをベースとしている。この場合、一般的な情報の入手や商品の購入は、比較的簡単に出来るようになっている。
【０００４】
しかしながら、BtoB(BusinesstoBusiness)の如く企業と企業との間のビジネスとなると、このような現状のネットビジネスモデルのみでは十分に機能しない。
【０００５】
発注企業は、その企業のホームページ上で受注企業が見てくれるのを待つことになるため、目的の企業に見てもらえるホームページでなければ、いくらすばらしいビジネスモデルであっても、発注企業が見つかるわけではない。
【０００６】
すなわち、いかに注目されるポータルサイトに登録するかがビジネスチャンスを大きく左右することとなっているのが現状である。
【０００７】
従来の企業間のビジネスを目的としたポータルサイトである、ビジネスモールにおいては、ネットビジネス上、あくまでも受け身となっているというのが現状であり、BtoBの特質を相互に生かしたものとはいえなかったとの認識から、特開2002-24574においては、BtoBでは、受注最適企業を特定できなければビジネスは大きく発展しないとして、受注最適企業ヘピンポイントで選定できるアクティブなビジネスモデルが要求されており、発注する企業と受注する企業を如何にマッチングさせるかが重要であり、そのために、発注する企業の発注内容、発注条件、等にマッチした受注企業を選定できるシステムとしたものである。
【特許文献１】特開2002-24574号公報
【発明の開示】
【発明が解決しようとする課題】
【０００８】
このように、一般的な綜合ポータルサイトには多くのアクセスが期待できるが、BtoBビジネスに対応しておらず、上記の特開2002-24574の発明においては、アクセスが少ないビジネスモールのポータルサイトでは、ピンポイントの選定ができるとしても、対象となる企業が少ないのではビジネスチャンスは少ない。
【０００９】
上記の特開2002-24574の場合には、全国の大多数の企業が登録されているビジネスモールであれば、有効であるが、実際には、登録の手間とコストが膨大であり、現実的ではない。
【００１０】
本発明の課題は、より現実的に、比較的小規模な、市町村単位で活用できるビジネスモールに関するものであり、アクセス数を高めるために、ビジネスモールとしての機能に、公的機関との連携と、生活情報を融合させたポータルサイトとすることにより、ビジネスチャンスを飛躍的に高めることを可能とするビジネスモールを実現することである。
【課題を解決するための手段】
【００１１】
本発明は上記の問題を解決するために、ビジネスモール機能に加えて公的機関との双方向にリンクされた生活情報が融合されたポータルサイト機能が設けられていることを特徴する。
【００１２】
また、サイト内の階層構造は、ホームページ画面に新着情報表示部と、ビジネス情報リスト一覧表示部と、生活情報分野別情報リスト一覧表示部と、特集情報表示部と、企業情報検索部、映像ライブラリ部の構成となっており、ホームページの表示部の各項目から詳細表示画面が表示される。
【００１３】
また、生活情報分野別情報リスト一覧表示部は、生活情報を分野別のリスト項目として大分類から小分類への複数の階層構造に表示されたリスト一覧表示となっていることを特徴とする。
【００１４】
また、生活情報分野別情報リスト一覧表示部からの項目の選択により、該表示部の下層部となる各項目の詳細表示画面が表示され、該詳細表示画面は、生活情報関連施設問合せ先リスト表示部と、前記の新着情報表示部とリンクされた生活関連情報表示部とから構成されているこ特許を特徴とする。
【００１５】
また、各詳細情報表示においては、文字情報と画像情報と映像情報とを適時、組み合わせて表示する。
【発明の効果】
【００１６】
本発明は、以下のような効果を奏する。
【００１７】
１）ビジネス情報に生活情報が付加されていることにより、掲載企業へのアクセスを増やすことができる。
【００１８】
２）生活情報が付加されていることでより広範囲の閲覧者を確保でき、アクセスが増加することにより、検索サイトでの順位が上り、発注企業が検索した場合に、他のビジネスモールより順位が高くなり、アピール性が高くなる。
【００１９】
３）公的機関と双方向にリンクされていることにより、公的機関の情報が得られるとともに、その情報に対する応募や情報提供を行え、情報の収集と公開が即時に行える。
【００２０】
４）従来、公的機関を跨いだ情報収集は困難であったが、生活情報と公的機関との連携が取れるため、求める情報に関連する多方面の公的情報も任意に関連させて一度に収集できる。
【００２１】
５）医療機関と双方向にリンクされていることにより、医療機関の情報が得られるとともに、その情報に対する応募や情報提供を行え、情報の収集と公開が即時に行える。
【００２２】
６）詳細情報画面に、問合せ先リストとともに、それらの問合せ先からの発信情報を一覧で見ることができるため、入手情報に関連する情報をすばやく見つけることができる
【００２３】
７）新着情報から、その新着情報に関連する情報を一覧で簡単に見ることができる。
【００２４】
８）プロ野球のキャンプ情報や地域の歴史映像など、地域特有の映像情報を見ることができ、他地域では実現できない情報を提供することで、閲覧者を広範囲に獲得できる。
【００２５】
９）地方警察との連携が可能であり、防犯情報を市民に直接、提供することができ、また、地域情報を直接、収集することが可能となる。
【００２６】
１０）小、中、高校などの学校との連携により、学校教育の現場を広く公開でき、地域からの情報も収集できるため、学校と地域との協力関係を構築することが可能となる。
【００２７】
１１）自治体内で起こっている犯罪や不審者情報を広く発信することで、自治体内の防犯意識を高めるとともに子供たちが安心して遊び、学べる環境づくりを支援できる。
【００２８】
１２）市民のくらしに必要な様々な生活情報（くらし・介護・福祉・医療・教育・不動産・グルメ・イベントなど）を満載し、行政・民間情報の活性化を図ることができる。
【００２９】
１３）企業ＰＲ情報（商品・サービス）を市民・県民に伝えることで、一般消費者との経済交流(Ｂ ｔｏ Ｃ)や、企業間同士の取引（Ｂ to Ｂ）を円滑にさせる支援することができる。
【００３０】
１４）単独の企業サイトよりも多くの企業情報を目的とした事業者からのアクセスによる閲覧率が高くなり、企業間取引（BtoB）による販路拡大ができる。
【００３１】
１５）団塊や子育て世代などをターゲットにした不動産やくらしの情報が満載されているため、一般消費者との取引（BtoC）の拡大が図れる。
【００３２】
１６）アーカイブ映像を目的として全国から多くのアクセスが予想され、企業情報の閲覧が期待できる。
【００３３】
１７）多くの企業情報が集約されたサイトとなり、登録事業者の確かな企業情報（商品や実績など）を公開するため、信用度が増し、様々な所での業者選択や商品選びのための便利な情報サイトとなり、アクセス率が高くなる。
【００３４】
１８）公的施設の利用目的でアクセスした方々からの閲覧が期待できる。 
【００３５】
１９）１年間で1,000社以上の企業情報の集積を目標とした企業検索データベースの構築が可能となる。
【００３６】
２０）くらしの中で必要な、便利で詳しい様々な生活情報を満載したコミュニティサイトを実現できる。
【００３７】
２１）ここでしか見ることができない貴重な地域の歴史・文化・産業を紹介した魅力あるアーカイブ映像を提供できる。
【００３８】
２２）公的機関ならではの特徴を生かし、官公署・各種関連施設等との相互リンクを実現できる。
【発明を実施するための最良の形態】
【００３９】
本発明の実施の形態について、
図面を用いて説明する。
【００４０】
図１は本発明によるビジネスモールシステムを用いたビジネスモールのモデル構成（協力体制）を示す図である。
【００４１】
本ビジネスモールを活用して、行政（自治体・教育委員会・警察署）からの様々な教育・福祉情報や不審者情報を発信する防犯情報、自治体内の医師会・ボランティア団体等からの医療・ボランティア情報などを毎日更新することで、住民への情報サービスと、企業サービスの情報を住民へ告知し、地域経済の活性化を図ることができるものである。
【００４２】
図２は本発明によるビジネスモールシステムを用いたビジネスモールの機能・効果を示す図である。
【００４３】
本ホームページでは、通常の施設紹介や支援事業の案内以外に、くらしに役立つ生活情報を詳しく掲載し、また、貴重な歴史的映像コンテンツを設置するなど、アクセス者を誘引する要素を網羅したサイトとし、多数の事業所のＰＲ情報を登録した検索機能を合わせ持ち、企業ビジネスサイトとしての役目を主とした「ビジネスモール」を民活で運営することを実現したものである。
【００４４】
図３は本発明によるビジネスモールシステムを用いたポータルサイトのホームページ画面の実施例を示す図である。
【００４５】
本ホームページは、新着情報表示部１と、ビジネス情報リスト一覧表示部２と、生活情報分野別情報リスト一覧表示部３と、特集情報表示部４と、企業情報検索部５、映像ライブラリ部６とから構成されている。
【００４６】
該新着情報表示部１は、図４に示すように、アップロードされた情報のタイトル情報２０とそのアップロード日２１と、情報分野（カテゴリー）小分類２２が行単位に記載されたものであり、最新情報が１０件まで表示されるようになっている。
【００４７】
該ビジネス情報リスト一覧表示部２は、図５に示すように、ビジネス情報項目がリスト表示されている。本実施例では、地方自治体が運営管理する企業支援センター関連情報が記載されている。各項目をクリックすると、詳細内容が表示される。
【００４８】
該生活情報分野別情報リスト一覧表示部３は、図６に示すように、生活情報の分野別のリスト項目として大分類項目３０と、その下層情報として小分類項目３１が表示されている。
【００４９】
本実施例では、大分類項目として、
【００５０】
「プロ野球キャンプ情報」
「ビジネス」
「くらし」
「住まい」
「教育」
「育児」
「医療」
「介護・福祉」
「ボランティア」
「趣味・スポーツ・ペット」
「娯楽」
「ショッピング」
「交通」
「レジャー」
などが表示されており、
【００５１】
小分類項目としては、例えば、「育児」を大分類項目とすると、
【００５２】
その小分類項目は、
「赤ちゃんの健康」
「幼稚園」
「子育て・相談」
「認可保育園」
「認可外保育園」
「公園」
である。
【００５３】
該小分類項目をクリックすると、詳細情報画面が表示される。
【００５４】
例えば、図７に示すように、小分類項目が「赤ちゃんの健康」とすると、大分類項目「育児」と小分類項目「赤ちゃんの健康」３１（２２）が見出し部に表示され、詳細内容としては、生活関連情報表示部に各アップロード情報４１ごとに順次表示され、最下部に生活情報関連施設問合せ先リスト４０が表示されている。
【００５５】
また、アップロード情報４１の最下部には、アップロード元のホームページへのリンク４２が表示されている。
【００５６】
また、本詳細情報のアップロード情報４１は、タイトル情報２０と、小分類項目３１（２２）と日付情報２１が、図４に示す新着情報に表示され、新着情報画面で任意の新着情報をクリックすると、本詳細情報の該当するアップロード情報が表示される。
【００５７】
これにより、新着情報で選択した情報の詳細情報を見ることができるとともに、その情報に関連する情報も同時に見ることができ、また、生活情報関連施設問合せ先リスト４０から関連施設情報を簡単に入手することが可能となる。
【００５８】
該特集情報表示部４は、図８に示すように、複数の小窓状にフレーム分割されており、各特集記事の見出しが表示されており、写真やイラストなどによりわかりやすいフレームボタンとなっている。各フレームをクリックすると、その詳細情報画面が表示される。
【００５９】
該企業情報検索部５は、図９に示すように、登録企業の検索部である。
【００６０】
上部には、キーワード検索ボタンが設けられており、その下部に業種別にフレーム分割され、各業種別フレーム内に、商品名又はサービス名が表示されており、該商品名又はサービス名をクリックすると、その商品名に関連する企業の簡易情報とその企業のホームページへのリンクが表示される。
【００６１】
該映像ライブラリ部６は、図１０に示すように、映像ライブラリから選択された映像のタイトル画面が表示されており、その画面をクリックすることにより、映像表示画面が表示される。
【００６２】
また、該ライブラリには複数の映像が記録されており、前記の特集情報表示部４のリスト画面から希望の映像を選択して鑑賞することもできる。
【００６３】
また、本ビジネスモールに、公的リサイクルセンターにより再生されたリサイクル品のオークション機能や、企業の商品を販売するショッピングモール機能や、地域の史跡などを紹介するための３Ｄバーチャル体験機能などを設けても良い。
【００６４】
このように、ビジネスモールにおいて、公的機関との連携がとれ、生活関連情報を同時に提供することにより、ビジネスモール機能のみでは困難であった、広範囲な閲覧者の獲得と、高いアクセス数の実現、及びそれによる検索サイトでの順位のアップにより、発注企業からの検索において高い検索率を実現できるものである。
【００６５】
このため、市町村などの地域単位でも、高いアクセス率を実現でき、検索サイトで上位に表示されることで、インターネットによるビジネスチャンスを飛躍的に高めることが可能となるものである。
【図面の簡単な説明】
【００６６】
【図１】本発明によるビジネスモールシステムを用いたビジネスモールのモデル構成（協力体制）を示す図である。
【図２】本発明によるビジネスモールシステムを用いたビジネスモールの機能・効果を示す図である。
【図３】本発明によるビジネスモールシステムを用いたポータルサイトのホームページ画面の実施例を示す図である。
【図４】本発明によるビジネスモールシステムを用いたホームページの新着情報表示部の実施例を示す図である。
【図５】本発明によるビジネスモールシステムを用いたホームページのビジネス情報リスト一覧表示部の実施例を示す図である。
【図６】本発明によるビジネスモールシステムを用いたホームページの生活情報分野別情報リスト一覧表示部の実施例を示す図である。
【図７】本発明によるビジネスモールシステムを用いたポータルサイトの詳細情報画面の実施例を示す図である。
【図８】本発明によるビジネスモールシステムを用いたホームページの特集情報表示部の実施例を示す図である。
【図９】本発明によるビジネスモールシステムを用いたホームページの企業情報検索部の実施例を示す図である。
【図１０】本発明によるビジネスモールシステムを用いたホームページの映像ライブラリ部の実施例を示す図である。
【符号の説明】
【００６７】
１  新着情報表示部
２  ビジネス情報リスト一覧表示部
３  生活情報分野別情報リスト一覧表示部
４  特集情報表示部
５  企業情報検索部
６  映像ライブラリ部
２０  タイトル情報
２１  アップロード日
２２  情報分野（カテゴリー）小分類
３０  大分類項目
３１  小分類項目
４０  生活情報関連施設問合せ先リスト
４１  アップロード情報
４２  アップロード元のホームページへのリンク
【図１】
2008210065.tif 000003
【図２】
2008210065.tif 000004
【図３】
2008210065.tif 000005
【図４】
2008210065.tif 000006
【図５】
2008210065.tif 000007
【図６】
2008210065.tif 000008
【図７】
2008210065.tif 000009
【図８】
2008210065.tif 000010
【図９】
2008210065.tif 000011
【図１０】
2008210065.tif 000012